(57)【特許請求の範囲】
【請求項１】
電力系統の監視、制御を行うサーバ計算機と、マンマシンインターフェースであるクライアント計算機と、前記クライアント計算機用のヒューマンインターフェースであるＨＭＩと、を有する制御所と、ＨＭＩを有する監視箇所と、を備え、
前記クライアント計算機用のＨＭＩを通じたユーザによる操作を前記制御所のクライアント計算機で受け付け、前記サーバ計算機により電力系統の監視、制御を行う電力系統監視システムであって、
前記監視箇所は、
個人情報を読み取る読取手段と、
前記読取手段により読み取った個人情報を前記制御所に送信する送信手段と、を有する変換装置を備え、
前記制御所は、
前記送信手段により送信された個人情報を受信する受信手段と、
前記受信手段により受信した個人情報が前記制御所において認証可能であるかを判断する認証手段と、
前記認証手段により認証可能であると判断された場合に、前記クライアント計算機の操作権を前記クライアント計算機用のＨＭＩから前記監視箇所のＨＭＩに切り替え、当該クライアント計算機と当該監視箇所のＨＭＩとを接続させる切替手段と、を有する切替え装置を、備えたことを特徴とする電力系統監視システム。
【請求項２】
前記認証手段により認証可能でないと判断された場合に、前記クライアント計算機用のＨＭＩにアラーム情報を出力するアラーム出力手段を備えたことを特徴とする請求項１に記載の電力系統監視システム。
【請求項３】
複数の前記監視箇所を設け、
各監視箇所のＨＭＩと前記クライアント計算機との接続の優先順位を示す接続優先度が記憶された優先接続ファイルと、
当該優先接続ファイルに基づいて、前記読取手段により個人情報を読み取った監視箇所のＨＭＩと前記クライアント計算機の接続優先度を判定する優先接続判定手段と、を備え、
前記切り替え手段は、前記優先接続判定手段により、前記個人情報を読み取った前記監視箇所のＨＭＩと前記クライアント計算機の接続優先度が、先に前記クライアント計算機に接続されていた監視箇所のＨＭＩとの接続優先度より高いと判定された場合に、当該クライアント計算機の操作権をこの接続優先度が高いと判定された監視箇所のＨＭＩに切り替えることを特徴とする請求項１に記載の電力系統監視システム。
【請求項４】
前記切替え装置は、
前記監視箇所のＨＭＩと前記クライアント計算機との接続可能時間が記憶されている接続時間記憶ファイルと、
前記切り替え手段を通じて接続した前記クライアント計算機と前記監視箇所のＨＭＩとの接続時間が前記接続可能時間を超えるかを監視する接続時間監視手段と、を備え、
前記切り替え手段は、前記接続時間監視手段により、前記接続時間が前記接続可能時間を超えるものと判定された場合に、前記クライアント計算機の操作権を前記監視箇所のＨＭＩから前記クライアント計算機用のＨＭＩに切り替えることを特徴とする請求項１に記載の電力系統監視システム。
【請求項５】
複数の前記制御所を設け、
前記変換装置の送信手段は、所定の制御所と通信する情報を有する前記個人情報に基づいて、この個人情報を当該所定の制御所に送信することを特徴とする請求項１に記載の電力系統監視システム。
【請求項６】
前記制御所は、複数の前記クライアント計算機を備え、
前記切替え装置は、前記受信手段により受信した個人情報に基づいて使用するクライアント計算機を選択するクライアント選択手段を備え、
前記切り替え手段は、前記クライアント選択手段により選択されたクライアント計算機の操作権を前記クライアント計算機用のＨＭＩから前記監視箇所のＨＭＩに切り替えることを特徴とする請求項１又は５に記載の電力系統監視システム。
【請求項７】
前記クライアント計算機と前記監視箇所のＨＭＩの接続状況を記憶する接続状況記憶ファイルを備え、
複数ある前記クライアント計算機は各々、前記クライアント選択手段により選択されたクライアント計算機と前記監視箇所のＨＭＩの接続状況の通知を要求する接続状況要求手段を備え、
前記切替え装置は、前記接続状況要求手段からの要求を受け付けることで、前記接続状況記憶ファイルに基づいて、前記クライアント選択手段により選択されたクライアント計算機と前記監視箇所のＨＭＩとの前記接続状況を検索し、要求した前記クライアント計算機用のＨＭＩに対して当該接続状況を出力する接続状況検索出力手段を備えることを特徴とする請求項６に記載の電力系統監視システム。
【請求項８】
前記制御所は、複数組のサーバ計算機、クライアント計算機、クライアント計算機用のＨＭＩを備え、
前記切替え装置は、前記受信手段により受信した個人情報に基づいて、いずれかの前記組のクライアント計算機を選択する選択手段を備え、
前記切り替え手段は、前記選択手段により選択されたクライアント計算機の操作権を前記監視箇所のＨＭＩに切り替えることを特徴とする請求項１に記載の電力系統監視システム。
【発明の詳細な説明】
【技術分野】
【０００１】
本発明は、電力系統の監視、制御及び操作を行う監視技術に係り、ソフトウェアを変更することなしに広域分散化が可能な電力系統監視システムに関する。
【背景技術】
【０００２】
従来の電力系統監視システムは、図３７及び３８の通り、例えば、制御所１に電力系統の監視、制御及び操作等を行なうサーバ計算機１１が設置され、さらに、サーバ計算機１１の情報をユーザが操作する際のマンマシンインターフェースであるクライアント計算機１２を複数備えている。また、クライアント計算機１２を実際に操作するためのキーボード及びマウス、並びに操作情報を表示するＣＲＴと（以降キーボード、マウス、ＣＲＴの組をＨＭＩ１３と称する）、が配設されている。
【０００３】
なお、図３８の通り、クライアント計算機１２とクライアント計算機用ＨＭＩ１３との接続に関して、ＵＳＢ信号によりクライアント計算機１２とＵＳＢ−ＨＵＢ１７とが相互に通信し、ＨＭＩ１３では、当該ＵＳＢ−ＨＵＢ１７を通じたＵＳＢ信号がＵＳＢ／ＲＧＢ変換器１８によりＲＧＢ信号に変換され、ＣＲＴ１９により画面表示される。また、キーボード／マウス２０による操作情報は、ＵＳＢ信号によりＵＳＢ−ＨＵＢ１７へ送られる。
【発明の開示】
【発明が解決しようとする課題】
【０００４】
ところで、上記のような従来の電力系統監視システムでは、制御所１に複数のクライアント計算機１２が配設されているが、クライアント計算機１２をこのシステムに追加する場合、既存のサーバ計算機１１及びクライアント計算機１２に設定されたソフトウェアを変更する必要が生じた。また、システムを広域分散化するにあたり、分散設置箇所から制御所１内のクライアント計算機１２とやり取りをする場合には、制御所１内のサーバ計算機１１及びクライアント計算機１２のソフトウェアを変更する必要が生じた。
【０００５】
本発明は、上記課題を解消するために提案されたものであって、その目的は、既存の電力系統監視システムに対し、ソフトウェアの変更をすることなしに広域分散化の可能な電力系統監視システムを提供することにある。また、必要に応じてセキリュティ機能を実行可能な電力系統監視システムを提供することも目的とする。
【課題を解決するための手段】
【０００６】
上述した目的を達成するために、本発明は、電力系統の監視、制御を行うサーバ計算機と、マンマシンインターフェースであるクライアント計算機と、前記クライアント計算機用のヒューマンインターフェースであるＨＭＩと、を有する制御所と、ＨＭＩを有する監視箇所と、を備え、前記クライアント計算機用のＨＭＩを通じたユーザによる操作を前記制御所のクライアント計算機で受け付け、前記サーバ計算機により電力系統の監視、制御を行う電力系統監視システムであって、前記監視箇所は、個人情報を読み取る読取手段と、前記読取手段により読み取った個人情報を前記制御所に送信する送信手段と、を有する変換装置を備え、前記制御所は、前記送信手段により送信された個人情報を受信する受信手段と、前記受信手段により受信した個人情報が前記制御所において認証可能であるかを判断する認証手段と、前記認証手段により認証可能であると判断された場合に、前記クライアント計算機の操作権を前記クライアント計算機用のＨＭＩから前記監視箇所のＨＭＩに切り替え、当該クライアント計算機と当該監視箇所のＨＭＩとを接続させる切替手段と、を有する切替え装置を、備えたことを特徴とする。
【０００７】
また、本発明は、複数の前記監視箇所を設け、各監視箇所のＨＭＩと前記クライアント計算機との接続の優先順位を示す接続優先度が記憶された優先接続ファイルと、当該優先接続ファイルに基づいて、前記読取手段により個人情報を読み取った監視箇所のＨＭＩと前記クライアント計算機の接続優先度を判定する優先接続判定手段と、を備え、前記切り替え手段は、前記優先接続判定手段により、前記個人情報を読み取った前記監視箇所のＨＭＩと前記クライアント計算機の接続優先度が、先に前記クライアント計算機に接続されていた監視箇所のＨＭＩとの接続優先度より高いと判定された場合に、当該クライアント計算機の操作権をこの接続優先度が高いと判定された監視箇所のＨＭＩに切り替えることを特徴とする点も一態様である。
【０００８】
さらには、前記切替え装置が、前記監視箇所のＨＭＩと前記クライアント計算機との接続可能時間が記憶されている接続時間記憶ファイルと、前記切り替え手段を通じて接続した前記クライアント計算機と前記監視箇所のＨＭＩとの接続時間が前記接続可能時間を超えるかを監視する接続時間監視手段と、を備え、前記切り替え手段は、前記接続時間監視手段により、前記接続時間が前記接続可能時間を超えるものと判定された場合に、前記クライアント計算機の操作権を前記監視箇所のＨＭＩから前記クライアント計算機用のＨＭＩに切り替えることを特徴とする点も本発明の一態様とする。
【発明の効果】
【０００９】
以上のような本発明によれば、制御所にクライアント計算機の操作権をクライアント計算機用ＨＭＩから監視箇所のＨＭＩに切替える切替え装置を設けることで、既存のソフトウェアを変更することなしに、制御所に配設されたクライアント計算機の操作を監視箇所から実行することができる。これにより、広域分散化の可能な電力系統監視システムを実現することが可能となる。また、この切替え装置では、個人情報の認証処理も行うため、分散設置箇所から制御所への遠隔操作に対してのセキュリティが保証される。
【発明を実施するための最良の形態】
【００１０】
［１．第１の実施形態］
［１．１．構成］
［１．１．１．基本構成］
第１の実施形態に係る電力系統監視システムの基本構成を、図１を参照して以下に説明する。なお、従来技術において示した構成と同一の構成については同じ符号を付すものとする。図１によれば、電力系統監視システムは、制御所１と分散設置箇所３（本発明の「監視箇所」に対応）とが広域ネットワークであるＷＡＮ２を介して接続されることで構成されている。
【００１１】
この制御所１は、監視、制御及び記録等を行なうサーバ計算機１１と、マンマシンインターフェースである複数のクライアント計算機１２ａ〜１２ｃ（一例として、１２ａ〜１２ｃの３つ）と、を備え、当該クライアント計算機１２ａ〜１２ｃには、キーボード及びマウス、並びにＣＲＴからなるＨＭＩ１３ａ〜１３ｃ（クライアント計算機１２ａ〜１２ｃに対応して３つ）が各々対応して接続されている。さらに、このクライアント計算機１２ａ〜１２ｃには、セキュリティシステムを有するセキュリティ機能付き切替え装置４が接続されている。
【００１２】
一方、分散設置箇所３は、ＨＭＩ１３ｄが設けられ、さらに、当該ＨＭＩ１３ｄと特定の個人情報を記憶するＩＣカード１５が接続される変換装置１４が配設されている。なお、制御所１内のセキュリティ機能付き切替え装置４と分散設置箇所３内の変換装置１４とがＷＡＮ２により接続されている。
【００１３】
また、例えば、常時状態におけるクライアント計算機１２ａとＨＭＩ１３ａの通信は、図２の通り、クライアント計算機１２ａが、ＵＳＢ信号により、セキュリティ機能付き切替え装置４内に設置されたＵＳＢ／ＬＡＮ変換器１６と通信し、さらに、このＵＳＢ／ＬＡＮ変換器１６が、ＵＳＢ信号によりＨＭＩ１３ａ内のＵＳＢ−ＨＵＢ１７と通信することで実現される。なお、その他のクライアント計算機１２ｂ、１２ｃとＨＭＩ１３ｂ、１３ｃとの通信も、上記と同様に、セキュリティ機能付き切替え装置４内のＵＳＢ／ＬＡＮ変換器１６を介して行われる。
【００１４】
ここで、ＨＭＩ１３ａ〜１３ｃでは、従来技術と同様に、ＵＳＢ−ＨＵＢ１７を通じて取得したＵＳＢ信号がＵＳＢ／ＲＧＢ変換器１８によりＲＧＢ信号に変換され、ＣＲＴ１９により画面表示される。また、キーボード／マウス２０による操作情報は、ＵＳＢ信号によりＵＳＢ−ＨＵＢ１７へ送られる。
【００１５】
［１．１．２．具体的な構成］
次に、本実施形態に係る電力系統監視システムの具体的な構成例を図３を参照して以下に詳述する。なお、図３の電力系統監視システムでは、制御所１にクライアント計算機１２ａとクライアント計算機用ＨＭＩ１３ａが配設され、分散設置箇所３にＨＭＩ１３ｄが配設されている。
【００１６】
［（ａ）分散設置箇所の構成］
図３の通り、分散設置箇所３に配設された変換装置１４は、下記のような手段を備えている。
ＩＣカード読取手段３１（本発明の「読取手段」に対応）は、接続されたＩＣカード１５の情報を読み取る処理であり、制御所接続手段３２（本発明の「送信手段」に対応）は、分散設置箇所３から制御所１への通信を行なう処理である。
【００１７】
制御所ＩＰアドレス読出手段３３は、制御所１のセキュリティ機能付き切替え装置４のＩＰアドレスを図４のような制御所ＩＰアドレス記憶ファイルから読み出す処理である。図４の通り、制御所ＩＰアドレス記憶ファイルには、分散設置箇所３が接続可能な制御所のセキュリティ機能付き切替え装置４のＩＰアドレスが記憶されている。なお、分散設置箇所３が接続可能なＩＰアドレスの一例として、制御所１のセキュリティセキュリティ機能付き切替え装置のＩＰアドレスが記憶されている。
【００１８】
ＩＰアドレス記憶手段３４は、制御所接続手段３２の通信相手である接続先のＩＰアドレスをＩＰアドレス記憶ファイルに記憶する処理である。また、ＵＳＢ／ＬＡＮ変換手段３５は、ＵＳＢ信号とＬＡＮ信号を相互に変換可能な処理であり、ＬＡＮ送受信手段３６は、制御所１との間で操作情報をやり取りする処理である。
【００１９】
［（ｂ）セキュリティ機能付き切替え装置の構成］
一方、制御所１に設置したセキュリティ機能付き切替え装置４は、下記のような手段を備えている。
接続情報受信手段４１（本発明の「受信手段」に対応）は、分散設置箇所３からのＩＣカードに基づく個人情報等を受信する処理であり、認証読出手段４２は、図５のような認証設定ファイルに保存されたＩＣカード１５の認証情報を読み出す処理である。
【００２０】
なお、認証設定ファイルには、図５の通り、ＩＣカード毎に認証可能かどうか、すなわち、分散設置箇所３からの制御所１への接続が可能どうかの情報が記憶されている。具体的には、ＩＣカード１５が認証可能である場合には、そのＩＣカード１５に対応させて認証可能であることを示すデータ“１”が記憶され、認証不可能である場合には、認証不可能であることを示すデータ“０”が記憶されている。
【００２１】
ＩＣカード認証手段４３（本発明の「認証手段」に対応）は、接続情報受信手段４１により受信したＩＣカード１５の情報を認証読出手段４２により読み出された認証情報と照合して、分散設置箇所３からの接続が可能であるかを判断する処理である。制御所１側のＩＰアドレス記憶手段４４は、分散設置箇所３が有する処理と同等であり、接続先である分散設置箇所３の変換装置１４のＩＰアドレスをＩＰアドレス記憶ファイルに記憶する処理である。
【００２２】
制御権状態記憶手段４５は、クライアント計算機１２ａの操作権を制御所１か分散設置箇所３のいずれかに与える情報、より詳細には、クライアント計算機１２ａが制御所１内のクライアント計算機用ＨＭＩ１３ａに接続するか、あるいは分散設置箇所３のＨＭＩ１３ｄに接続するかの情報を、制御権状態ファイルに記憶する処理である。なお、制御権状態ファイルには、例えば図６のように、クライアント計算機用ＨＭＩ１３ａにクライアント計算機１２ａの操作権を与える場合にデータ“０”と設定され、分散設置箇所３に当該操作権を与える場合にデータ“１”と設定される。
【００２３】
ＵＳＢ信号切替え手段４６は、制御権状態記憶手段４５により記憶されたデータに基づいて、クライアント計算機１２ａからのＵＳＢ信号の送信先を、クライアント計算機用ＨＭＩ１３ａか、あるいはＵＳＢ／ＬＡＮ変換手段４７に切り替える処理である。ＵＳＢ／ＬＡＮ変換手段４７は、分散設置箇所３が有する処理と同様に、ＵＳＢ信号とＬＡＮ信号を相互に変換可能な処理であり、ＬＡＮ送受信手段４８は、分散設置箇所３との間で操作情報をやり取りする処理である。（ＵＳＢ信号切替え手段４６と、ＵＳＢ／ＬＡＮ変換手段４７と、ＬＡＮ送受信手段４８は、本発明の「切替え手段」に対応する。）
【００２４】
［１．２．作用効果］
次に、上記構成を備える第１の実施形態の電力系統監視システムの作用の一例を図７のフローチャートを参照して以下に説明する。なお、ＩＣカード１５には、分散設置箇所３における特定のユーザを識別する情報が記憶されているものとする。
【００２５】
まず、分散設置箇所３において、ユーザによりＩＣカード１５が変換装置１４に接続されると、変換装置１４内のＩＣカード読取手段３１は、接続されたＩＣカード１５の情報を読み込む（ＳＴＥＰ７０１）。そして、制御ＩＰアドレス読出手段３３を通じて制御所ＩＰアドレス記憶ファイルから制御所１のセキュリティ機能付き切替え装置４のＩＰアドレスを読み出す（ＳＴＥＰ７０２）。
【００２６】
制御所接続手段３２は、読み出されたセキュリティ機能付き切替え装置４のＩＰアドレスをもとに、ＷＡＮ２を介して制御所１への接続要求を行い、ＩＣカード読取手段３１により読み取ったＩＣカード１５の情報と変換装置１４のＩＰアドレスを、制御所１内のセキュリティ機能付き切替え装置４の接続情報受信手段４１に送信する（ＳＴＥＰ７０３）。また、これと同時に、ＩＰアドレス記憶手段３４は、接続先である制御所１内のセキュリティ機能付き切替え装置４のＩＰアドレスをＩＰアドレス記憶ファイルに記憶する（ＳＴＥＰ７０４）。
【００２７】
制御所１において、接続情報受信手段４１が分散設置箇所３の制御所接続手段３２からの接続要求を受け付けると、ＩＣカード認証手段４３は、分散設置箇所３から受信したＩＣカード１５の情報と認証読出手段４２を通じて読み出した認証情報とを照合して、分散設置箇所３からの接続が可能であるかを判断する（ＳＴＥＰ７０５）。ＩＣカード認証手段４３により、分散設置箇所３からの接続が可能であると判断されると（ＳＴＥＰ７０５のＹＥＳ）、制御所１側のＩＰアドレス記憶手段４４は、分散設置箇所３の変換装置１４のＩＰアドレスをＩＰアドレス記憶ファイルに記憶する（ＳＴＥＰ７０６）。
【００２８】
これと同時に、制御権状態記憶手段４５は、制御権記憶ファイルに分散設置箇所３にクライアント計算機１２ａの操作権を与えるデータ“１”を設定し記憶する（ＳＴＥＰ７０７）。なお、ＩＣカード認証手段４３により、分散設置箇所３からの接続ができないと判断されると（ＳＴＥＰ７０５のＮＯ）、第１の実施形態の電力系統監視システムにおける分散設置箇所３と制御所１との通信処理は終了する。
【００２９】
ＳＴＥＰ７０７において、制御権状態記憶手段４５により、制御権状態記憶ファイルに分散設置箇所３にクライアント計算機１２ａの操作権を与えるデータ“１”が記憶されると、ＵＳＢ信号切替え手段４６は、この分散設置箇所３に当該操作権を与えるデータに従い、クライアント計算機１２ａからのＵＳＢ信号の送信先を、クライアント計算機用ＨＭＩ１３ａからＵＳＢ／ＬＡＮ変換手段４７に切り替える（ＳＴＥＰ７０８）。
【００３０】
ＵＳＢ／ＬＡＮ変換手段４７は、取得したクライアント計算機１２ａからのＵＳＢ信号をＬＡＮ信号に変換する（ＳＴＥＰ７０９）。そして、ＬＡＮ送受信手段４８は、ＩＰアドレス記憶手段４４により記憶された分散設置箇所３の変換装置１４のＩＰアドレスを読み込み、このＬＡＮ信号をＷＡＮ２を介して当該変換装置１４内のＬＡＮ送受信手段３６に送信する（ＳＴＥＰ７１０）。
【００３１】
同時に、分散設置箇所３のＬＡＮ送受信手段３６は、ＩＰアドレス記憶ファイルにＩＰアドレス記憶手段３４を通じて記憶された分散設置箇所３のセキュリティ機能付き切替え装置４のＩＰアドレスを読み込むことで、分散設置箇所３と制御所１間の送受信回線が確立し、制御所１のＬＡＮ送受信手段４８からのＬＡＮ信号を受信する（ＳＴＥＰ７１１）。そして、ＵＳＢ／ＬＡＮ変換手段３５は、ＬＡＮ送受信手段３６で受信した制御所１からのＬＡＮ信号をＵＳＢ信号に変換し（ＳＴＥＰ７１２）、当該ＵＳＢ信号がＨＭＩ１３ｄに送られることで（ＳＴＥＰ７１３）、分散設置箇所３に配設されたＨＭＩ１３ｄと制御所１にあるクライアント計算機１２ａとの送受信回線が確立する。
【００３２】
以上のような第１の実施形態によれば、制御所内のセキュリティ機能付き切替え装置が認証を行なった後に、クライアント計算機の操作権をクライアント計算機用ＨＭＩから分散設置箇所に切り替えることができる。そのため、ソフトウェアを変更せずに、制御所にあるクライアント計算機のオペレーションを分散設置箇所に配設されたＨＭＩにより実行することが可能となる。
【００３３】
［２．第２の実施形態］
［２．１．構成］
次に、第２の実施形態に係る電力系統監視システムの構成を、図８を参照して以下に説明する。なお、第２の実施形態に係る電力系統監視システムでは、制御所内に複数のクライアント計算機とクライアント計算機用ＨＭＩが配設され、さらに、制御所内で所定のクライアント計算機を選択する処理を行う点に特徴を有する。
【００３４】
具体的には、図３の電力系統監視システムの制御所１内に配設されたクライアント計算機１２ａとクライアント計算機用ＨＭＩ１３ａに加え、図８の通り、一例としてクライアント計算機１２ｂとクライアント計算機用ＨＭＩ１３ｂを設けている。さらに、制御所１のセキュリティ機能付き切替え装置４内に、分散設置箇所３の変換装置１４に接続されるＩＣカード１５の情報に基づいて所定のクライアント計算機を選択するクライアント選択手段４９が設けられている。
【００３５】
［２．２．作用効果］
次に、上記構成を備える第２の実施形態に係る電力系統監視システムの作用の一例を図９のフローチャートを参照して以下に説明する。なお、ＩＣカード１５には、分散設置箇所３における特定のユーザを識別する情報と、使用するクライアント計算機の情報が記憶されているものとする。また、一例として、ＩＣカード１５には、クライアント計算機１２ａ及びクライアント計算機１２ｂのうち、クライアント計算機１２ａを使用する情報が記憶されているものとし、図９のフローチャートでは、当該クライアント計算機１２ａに対応するクライアント計算機用ＨＭＩ１３ａのオペレーションを、分散設置箇所３のＨＭＩ１３ｄで行なうケースについて説明する。
【００３６】
ここで、図９の通り、ＳＴＥＰ９０１〜９０６は、第１の実施形態に係る図７のＳＴＥＰ７０１〜７０６と処理が共通するため、説明は省略する。
ＳＴＥＰ９０６において、ＩＰアドレス記憶手段４４により、分散設置箇所３の変換装置１４のＩＰアドレスがＩＰアドレス記憶ファイルに記憶されると、クライアント選択手段４９は、受信したＩＣカード１５の情報をもとに使用するクライアント計算機を選択する（ＳＴＥＰ９０７）。具体的には、上述したように、ＩＣカード１５にクライアント計算機１２ａを使用する情報が記憶されているので、このクライアント計算機１２ａを使用する情報に基づいて、当該クライアント選択手段４９は、クライアント計算機１２ａ、１２ｂのうちからクライアント計算機１２ａを選択する。
【００３７】
制御権状態記憶手段４５は、クライアント選択手段４９により選択されたクライアント計算機１２ａの情報をもとに、図１０のような制御権状態ファイルのクライアント計算機１２ａに相当するデータエリアに対して、分散設置箇所３にクライアント計算機１２ａの操作権を与えるというデータ“１”を設定し記憶する（ＳＴＥＰ９０８）。
【００３８】
そして、ＵＳＢ信号切替え手段４６は、制御権状態記憶ファイルに記憶された分散設置箇所３にクライアント計算機１２ａの操作権を与えるというデータに従い、クライアント計算機１２ａからのＵＳＢ信号の送信先を、クライアント計算機用ＨＭＩ１３ａからＵＳＢ／ＬＡＮ変換手段４７に切り替える（ＳＴＥＰ９０９）。なお、以降のＳＴＥＰ９１０〜９１４の処理は、第１の実施形態に係る図７のフローチャートのＳＴＥＰ７０９〜７１３の処理と共通するので、説明は省略する。
【００３９】
以上のような第２の実施形態によれば、制御所内に複数のクライアント計算機が設けられた場合であっても、当該制御所内のセキュリティ機能付き切替え装置において受信したＩＣカードの情報をもとに、使用するクライアント計算機を選択することができるので、所望のクライアント計算機の操作権をクライアント計算機用ＨＭＩから分散設置箇所に切り替えることが可能となる。そのため、ソフトウェアを変更せずに、制御所にある所望のクライアント計算機のオペレーションを分散設置箇所に配設されたＨＭＩにより実行することができる。
【００４０】
［３．第３の実施形態］
［３．１．構成］
次に、第３の実施形態に係る電力系統監視システムの構成を、図１１を参照して以下に説明する。なお、第３の実施形態に係る電力系統監視システムでは、第２の実施形態と同様に、制御所内に複数のクライアント計算機とクライアント計算機用ＨＭＩが配設され、制御所内で所定のクライアント計算機を選択する処理を行うものとし、さらに、クライアント計算機と分散設置箇所のＨＭＩの接続状況をクライアント計算機側から要求し、表示させる処理を行う点に特徴を有する。
【００４１】
具体的には、一例として図１１の通り、電力系統監視システムは、第２の実施形態に係る図８の電力系統監視システムにおいて、セキュリティ機能付き切替え装置４に対して、クライアント計算機１２ａ（又は１２ｂ）と分散設置箇所３のＨＭＩ１３ｄとの接続状況の要求を行う接続状況要求手段５０ａ、５０ｂをクライアント計算機１２ａ、１２ｂの各々に設けている。
【００４２】
さらに、制御所１のセキュリティ機能付き切替え装置４は、接続状況要求手段５０ａ（又は５０ｂ）からの接続状況の要求を受け付け、制御権状態ファイルを通じてクライアント計算機１２ａ（又は１２ｂ）と分散設置箇所３のＨＭＩ１３ｄの接続状況を検索し、検索結果をクライアント計算機用ＨＭＩ１３ａ（又は１３ｂ）に表示させる接続状況検索表示手段５１（本発明の「接続状況検索出力手段」に対応）を備えている。なお、以下では、この接続状況検索表示手段５１が、クライアント計算機用ＨＭＩ１３ａ（又は１３ｂ）に検索した接続状況を表示させる態様を説明するが、表示に限定するものではなく音声等の出力態様も包含する趣旨である。
【００４３】
［３．２．作用効果］
次に、上記構成を備える第３の実施形態の電力系統監視システムの作用の一例を図１２のフローチャートを参照して以下に説明する。なお、図１２のフローチャートでは、一例として、分散設置箇所３のＨＭＩ１３ｄからクライアント計算機１２ａのオペレーションを実行する状況、すなわち、分散設置箇所３のＨＭＩ１３ｄにクライアント計算機１２ａの操作権を与えるというクライアント計算機１２ａと分散設置箇所３との接続状況をクライアント計算機用ＨＭＩ１３ｂに表示するケースについて説明する。
【００４４】
ここで、図１２のＳＴＥＰ１２０１〜１２１４の処理は、図９におけるＳＴＥＰ９０１〜９１４の処理と共通するので、説明は省略する。
ＳＴＥＰ１２０１〜１２１４の処理により、分散設置箇所３に配設されたＨＭＩ１３ｄと制御所１にあるクライアント計算機１２ａとの送受信回線が確立されると、制御所１において、ユーザはクライアント計算機用ＨＭＩ１３ｂを通じてクライアント計算機１２ｂの接続状況要求手段５０ｂを起動させる。
【００４５】
これにより、クライアント計算機１２ｂ内の接続状況要求手段５０ｂが、セキュリティ機能付き切替え装置４内の接続状況検索表示手段５１に、クライアント計算機１２ａに対する分散設置箇所３のＨＭＩ１３ｄの接続状況を要求する（ＳＴＥＰ１２１５）。接続状況の要求を受けた接続状況検索表示手段５１は、制御権状態ファイルを通じてクライアント計算機１２ａと分散設置箇所３のＨＭＩ１３ｄの接続状況を検索する（ＳＴＥＰ１２１６）。
【００４６】
ここで、ＳＴＥＰ１２１６における接続状況検索表示手段５１の接続状況の具体的な検索処理を図１３のフローチャートを参照して、以下に説明する。
まず、接続状況検索表示手段５１は、クライアント計算機毎にクライアント計算機の操作権が分散設置箇所３にあるか、クライアント計算機用ＨＭＩにあるかが記憶されている制御権状態ファイルから、１つのクライアント計算機に対応する接続データを読み込む（ＳＴＥＰ１３０１）。
【００４７】
そして、読み込んだデータが、分散設置箇所３にＨＭＩの操作権が与えられていることを示すデータ“１”か、クライアント計算機用ＨＭＩに与えられていることを示すデータ“０”かを判断する（ＳＴＥＰ１３０２）。読み込んだ内容がデータ“１”と判断された場合には（ＳＴＥＰ１３０２のＹＥＳ）、クライアント計算機１２ａと分散設置箇所３のＨＭＩ１３ｄが接続中と認定する（ＳＴＥＰ１３０３）。
【００４８】
一方、ＳＴＥＰ１３０２において、読み込んだ内容がデータ“０”と判断された場合には（ＳＴＥＰ１３０２のＮＯ）、制御権状態ファイルから他のクライアント計算機に対応する接続データを読み込むことでＳＴＥＰ１３０１、１３０２の処理が繰り返される（ＳＴＥＰ１３０４）。ここで、制御権状態ファイルに記憶された各クライアント計算機に対応する接続データの全てが“０”であった場合には（ＳＴＥＰ１３０４のＮＯ）、クライアント計算機１２ａと分散設置箇所３のＨＭＩ１３ｄが接続していないと認定する（ＳＴＥＰ１３０５）。
【００４９】
そして、このような図１３のフローチャートに基づく検索処理により得られた、クライアント計算機１２ａと分散設置箇所３のＨＭＩ１３ｄが接続中、あるいは接続していないといった情報を、接続状況検索表示手段５１は、クライアント計算機用ＨＭＩ１３ｂに表示させる（ＳＴＥＰ１２１７）。つまり、クライアント計算機１２ｂの接続状況要求手段５０ｂからの要求に対して、クライアント計算機１２ａと分散設置箇所３のＨＭＩ１３ｄの接続状況を、クライアント計算機用ＨＭＩ１３ｂに表示させることで制御所１のユーザに通知する。
【００５０】
以上のような第３の実施形態によれば、制御所において、クライアント計算機用ＨＭＩを通じたユーザの指示により、セキュリティ機能付き切替え装置が、クライアント計算機と分散設置箇所のＨＭＩの接続状況を検索し、検索された接続状況をクライアント計算機用ＨＭＩに表示させることができる。そのため、制御所におけるユーザは、クライアント計算機のオペレーションを分散設置箇所３に配設されたＨＭＩにより実行されている場合であっても、現在の接続状況を把握し、監視することが可能となる。
【００５１】
［４．第４の実施形態］
［４．１．構成］
次に、第４の実施形態に係る電力系統監視システムの構成を、図１４を参照して以下に説明する。なお、第４の実施形態に係る電力系統監視システムでは、制御所のセキュリティ機能付き切替え装置内において、受信したＩＣカードの情報により分散設置箇所が接続できないと判断された場合に、アラーム出力する点に特徴を有する。
【００５２】
具体的には、一例として図１４の通り、第１の実施形態に係る図３の電力系統監視システムにおいて、制御所１のセキュリティ機能付き切替え装置４内のＩＣカード認証手段４３が、分散設置箇所３からの接続ができないと判断した場合に、アラーム情報をクライアント計算機用ＨＭＩ１３ａに出力するアラーム出力手段５２を設けている。すなわち、ＩＣカード認証手段４３が、分散設置箇所３から受信したＩＣカード１５の情報と認証読出手段４２を通じて読み出した認証情報とを照合して、分散設置箇所３からの接続ができないと判断した場合に、アラーム出力手段５２によりクライアント計算機用ＨＭＩ１３ａに対してアラーム情報が出力される。
【００５３】
［４．２．作用効果］
次に、上記構成を備える第４の実施形態の電力系統監視システムの作用の一例を図１５のフローチャートを参照して以下に説明する。なお、第４の実施形態では、図１５の通り、ＳＴＥＰ１５０１〜１５１３の処理と、第１の実施形態に係る図７のＳＴＥＰ７０１〜７１３の処理が共通するため、説明は省略する。
【００５４】
第４の実施形態では、ＳＴＥＰ１５０５において、ＩＣカード認証手段４３により、分散設置箇所３からの接続ができないと判断される場合に（ＳＴＥＰ１５０５のＮＯ）、アラーム出力手段５２が、アラーム情報をクライアント計算機用ＨＭＩ１３ａに出力する（ＳＴＥＰ１５１４）。つまり、アラーム出力手段５２は、ＩＣカード認証手段４３により、分散設置箇所３から受信したＩＣカード１５の情報と認証読出手段４２を通じて読み出した認証情報を照合し、分散設置箇所３からの接続ができないと判断された場合に、クライアント計算機用ＨＭＩ１３ａに対してアラーム情報を出力する。
【００５５】
なお、この状況下において、認証読出手段４２により読み出される認証設定ファイル内のＩＣカード１５に対応する認証情報は、接続できないデータ“０”に設定されている。そのため、この認証設定ファイル内に記憶されているデータ“０”に基づいて、ＩＣカード認証手段４３は、分散設置箇所３からの接続ができないと判断し、アラーム出力手段５２を通じてクライアント計算機用ＨＭＩ１３ａに対してアラーム情報が出力される。
【００５６】
以上のような第４の実施形態によれば、上述したような第１の実施形態が有する効果だけでなく、ＩＣカード認証手段が分散設置箇所が接続できないと判断した場合、つまり、制御所のセキュリティ機能付き切替え装置では認証できないＩＣカードの情報を受信した場合に、制御所のユーザに対してアラーム通知することを可能とする。そのため、このアラーム通知により、制御所にいる運転員等のユーザは、分散設置箇所における不正侵入等を監視し、取り締まることが可能となる。
【００５７】
［５．第５の実施形態］
［５．１．構成］
次に、第５の実施形態に係る電力系統監視システムの構成を、図１６、１７を参照して以下に説明する。なお、第５の実施形態に係る電力系統監視システムでは、複数の分散設置箇所が設けられ、各分散設置箇所に接続されるＩＣカードの情報を通じて、制御所内において、いずれかの分散設置箇所と制御所内のセキュリティ機能付き切替え装置との接続優先度を判定する点に特徴を有する。
【００５８】
具体的には、例えば、第１の実施形態に係る図３の電力系統監視システムの基本構成において、図１６のように、複数の分散設置箇所３ａ、３ｂ（一例として、二つ）を設けた電力系統監視システムが採用される。また、第５の実施形態は、第１の実施形態に係る図５の制御所１のセキュリティ機能付き切替え装置４において、複数の分散設置箇所３に接続される各ＩＣカード１５を通じて、当該分散設置箇所３とセキュリティ機能付き切替え装置４との接続優先度を判定する優先接続判定手段５３を設けている。
【００５９】
例えば、図１７の通り、制御所１のセキュリティ機能付き切替え装置４内の優先接続判定手段５３は、複数ある分散設置箇所３の変換装置１４に接続される各ＩＣカード１５の接続優先度が記憶された優先接続ファイルをもとに、実際に分散設置箇所３ａの変換装置１４ａに接続され接続情報受信手段４１で受信したＩＣカード１５ａの情報から接続優先度を判定する。なお、この優先度接続ファイルには、図１８のように、各ＩＣカード１５に対応した接続優先度が設定されている。
【００６０】
［５．２．作用効果］
次に、上記構成を備える第５の実施形態の電力系統監視システムの作用の一例を図１９のフローチャートを参照して以下に説明する。なお、図１９のフローチャートでは、図１７の構成に基づき、分散設置箇所３ａ、３ｂのうち分散設置箇所３ａと制御所１との通信が確立される処理を説明する。また、図１９のＳＴＥＰ１９０１〜１９０４は、図７のＳＴＥＰ７０１〜７０４と処理を共通するので、説明は省略する。
【００６１】
制御所接続手段３２によりＩＣカード１５ａの情報と変換装置１４ａのＩＰアドレスが送信されると、制御所１の接続情報受信手段４１がそれを受け付け、優先接続判定手段５３は、ＩＣカード１５毎の接続優先度が記憶された優先接続ファイルをもとに、実際に受信したＩＣカード１５ａの接続優先度を判定する（ＳＴＥＰ１９０５）。例えば、先に、他の分散設置箇所３に接続されたＩＣカード１５の情報を受信し、その分散設置箇所３との接続が確立されている場合の当該ＩＣカード１５と、新たに接続されたＩＣカード１５の接続優先度とを、優先接続ファイルに基づいて対比し、優先度が高低を判定する。
【００６２】
優先接続判定手段５３により、接続優先度が高いと判定された場合には（ＳＴＥＰ１９０５のＹＥＳ）、新たに接続されたＩＣカード１５ａの情報をもとに、ＩＣカード認証手段４３は、認証読出手段４２を通じて読み出した認証情報とを照合して、分散設置箇所３ａからの接続が可能であるかを判断する（ＳＴＥＰ１９０６）。一方、優先接続判定手段５３により、接続優先度が低いと判定された場合には（ＳＴＥＰ１９０５のＮＯ）、新たに接続されたＩＣカード１５ａの情報を採用せずに処理が終了する。
【００６３】
なお、これ以降の図１９のＳＴＥＰ１９０８〜１９１４の処理は、図７のＳＴＥＰ７０７〜７１３の処理と共通するので説明を省略する。
【００６４】
以上のような第５の実施形態によれば、制御所のセキュリティ機能付き切替え装置において、分散設置箇所に接続されるＩＣカードの優先度を判定することができるので、複数の分散設置箇所を備える場合であっても、優先度の高いＩＣカードが接続された分散設置箇所との通信が可能となる。つまり、使用するＩＣカードに対応したクライアント計算機への接続要求に対して優先度をつけることで、優先度の高いＩＣカードを使用する分散設置箇所のユーザは、自動的に当該分散設置箇所のＨＭＩを介して制御所に配設されたクライアント計算機のオペレーションを操作することが可能となる。
【００６５】
［６．第６の実施形態］
［６．１．構成］
次に、第６の実施形態に係る電力系統監視システムの構成を、図２０を参照して以下に説明する。なお、第６の実施形態に係る電力系統監視システムでは、制御所内のクライアント計算機と分散設置箇所との接続時間を自動的に監視する処理を行う点に特徴を有する。
【００６６】
具体的には、例えば、第１の実施形態に係る図５の電力系統監視システムにおいて、図２０の通り、制御所１のセキュリティ機能付き切替え装置４内に、クライアント計算機１２ａと分散設置箇所３との接続時間を監視する接続時間監視手段５４を設けている。さらに、この制御所１のセキュリティ機能付き切替え装置４内には、ＩＣカード１５を用いて分散設置箇所３とクライアント計算機を接続した場合の接続可能時間が当該ＩＣカード１５毎に対応して記憶されている図２１のような接続時間記憶ファイルから、この接続可能時間を読み出す接続時間読出手段５５を設けている。
【００６７】
［６．２．作用効果］
次に、上記構成を備える第６の実施形態の電力系統監視システムの作用の一例を図２２のフローチャートを参照して以下に説明する。なお、図２２のＳＴＥＰ２２０１〜２２１３は、第１の実施形態に係る図７のＳＴＥＰ７０１〜７１３と共通するので説明は省略する。
【００６８】
図２４のＳＴＥＰ２２０１〜２２１３の処理により、分散設置箇所３に配設されたＨＭＩ１３ｄと制御所１にあるクライアント計算機１２ａとの送受信回線が確立されると、接続時間読出手段５５が、接続時間記憶ファイルから接続されているＩＣカード１５に対応した接続可能時間が読み出す（ＳＴＥＰ２２１４）。これと同時に、接続時間監視手段５４は、読み出された接続可能時間を基準に、実際の制御所１のクライアント計算機１２ａと分散設置箇所３との接続時間の監視を始める（ＳＴＥＰ２２１５）。
【００６９】
接続時間監視手段５４により、実際の接続時間が読み出された接続可能時間を超えると判断された場合には（ＳＴＥＰ２２１５のＹＥＳ）、制御権状態記憶手段４５は、分散設置箇所３にクライアント計算機１２ａの操作権が与えられたことを示すデータ“１”から、クライアント計算機用ＨＭＩ１３ａに当該操作権が与えられたことを示すデータ“０”に、設定しなおす（ＳＴＥＰ２２１６）。そして、ＵＳＢ信号切換手段４６は、ＵＳＢ信号切替え手段４６は、制御権状態ファイルからデータ“０”を読み込み、クライアント計算機１２ａからのＵＳＢ信号の送信先を、ＵＳＢ／ＬＡＮ変換手段４７からクライアント計算機用ＨＭＩ１３ａに切り替える（ＳＴＥＰ２２１７）。
【００７０】
以上のような第６の実施形態によれば、第１の実施形態が有する効果に加え、制御所内のセキュリティ機能付き切替え装置において、ＩＣカードに対応させて、分散設置箇所から制御所への接続可能時間が記憶されている接続時間記憶ファイルから読み出した接続可能時間に基づいて、接続時間監視手段が、実際の制御所と分散設置箇所との接続時間を監視することができる。これにより、所定の分散設置箇所が必要以上に制御所に接続されている場合に、自動的に制御所のクライアント計算機のオペレーションの操作を停止することが可能となる。
【００７１】
［７．第７の実施形態］
［７．１．構成］
次に、第７の実施形態に係る電力系統監視システムの構成を、図２３、２４を参照して以下に説明する。なお、第７の実施形態に係る電力系統監視システムでは、上記第１〜６の実施形態のように、電力監視システム内に一つの制御所を設けるのではなく、複数の制御所を設けた点に特徴を有する。
【００７２】
例えば、図２３の通り、第７の実施形態では、第１の実施形態に係る図３の電力系統監視システムの基本構成において、二つの制御所１ａ、１ｂを広域ネットワークであるＷＡＮ２に接続した構成を有している。ここでは、制御所１ａ、１ｂの構成は、第１の実施形態における制御所１の構成と同様のものとしている。
【００７３】
なお、分散設置箇所３の変換装置１４に接続されるＩＣカード１５には、分散設置箇所３における特定のユーザを識別する情報の他、いずれかの制御所と通信を行うかの情報が記憶されている。また、制御所ＩＰアドレス読出手段３３の読み出し対象となる制御所ＩＰアドレス記憶ファイルには、図２５の通り、制御所毎に対応したセキュリティ機能付き切替え装置４のＩＰアドレスが記憶されている。
【００７４】
［７．２．作用効果］
次に、上記構成を備える第２の実施形態の電力系統監視システムの作用の一例を図２６のフローチャートを参照して以下に説明する。なお、図２３の電力系統監視システムの制御１ａ、１ｂのうち、図２６のフローチャートでは、一例として、制御所１ａと分散設置箇所３との間で通信が確立される処理について説明する。すなわち、ＩＣカード１５には、分散設置箇所３における特定のユーザを識別する情報と、制御所１ａと通信を行なう情報が記憶されているものとする。
【００７５】
まず、分散設置箇所３において、ユーザによりＩＣカード１５が変換装置１４に接続されると、変換装置１４内のＩＣカード読取手段３１は、接続されたＩＣカード１５の情報を読み込む（ＳＴＥＰ２６０１）。そして、制御ＩＰアドレス読出手段３３は、図２５のような制御所ＩＰアドレス記憶ファイルから、接続されたＩＣカード１５に記憶されている制御所１ａの情報に従い、当該制御所１ａに対応するセキュリティ機能付き切替え装置４のＩＰアドレスを読み出す（ＳＴＥＰ２６０２）。
【００７６】
制御所１ａに対応するセキュリティ機能付き切替え装置４のＩＰアドレスが読み出されると、制御所接続手段３２は、このＩＰアドレスをもとに、ＷＡＮ２を介して制御所１ａへの接続要求を行い、ＩＣカード読取手段３１により読み取ったＩＣカード１５の情報と変換装置１４のＩＰアドレスを、制御所１ａ内のセキュリティ機能付き切替え装置４の接続情報受信手段４１に送信する（ＳＴＥＰ２６０３）。また、これと同時に、ＩＰアドレス記憶手段３４は、接続先である制御所１ａ内のキュリティ機能付き切替え装置４のＩＰアドレスをＩＰアドレス記憶ファイルに記憶する（ＳＴＥＰ２６０４）。
【００７７】
これ以降の図２６におけるＳＴＥＰ２６０５〜２６１３は、第１の実施形態に係る図７のＳＴＥＰ７０５〜７１３と共通するため、説明を省略する。
【００７８】
以上のような第７の実施形態によれば、ＩＣカードには、使用する制御所の情報が記憶され、分散設置箇所において読み出される制御所ＩＰアドレス記憶ファイルには、制御所毎に対応したセキュリティ機能付き切替え装置のＩＰアドレスが記憶されている。そのため、複数の制御所を有する電力系統監視システムであっても、ＩＣカードに記憶された所定の制御所のクライアント計算機の操作情報をクライアント計算機用ＨＭＩから分散設置箇所に切り替えることが可能となる。これにより、ソフトウェアを変更せずに、ＩＣカードに記憶された所定の制御所にあるクライアント計算機のオペレーションを分散設置箇所に配設されたＨＭＩにより実行することができる。
【００７９】
［８．第８の実施形態］
［８．１．構成］
次に、第８の実施形態に係る電力系統監視システムの構成を、図２７を参照して以下に説明する。なお、第８の実施形態に係る電力系統監視システムでは、第７の実施形態のように複数の制御所を有する場合に、ある制御所において、複数のクライアント計算機とクライアント計算機用ＨＭＩが配設され、さらに、その制御所内で所定のクライアント計算機を選択する処理を行う点に特徴を有する。
【００８０】
基本的な構成は、例えば、第７の実施形態に係る図２３と同じであり、具体的な構成は、一例として図２７の通り、制御所１ａ内に、クライアント計算機１２ａとクライアント計算機用ＨＭＩ１３ａに加え、クライアント計算機１２ｂとクライアント計算機用ＨＭＩ１３ｂを設けている。さらに、第２の実施形態と同様に、制御所１ａのセキュリティ機能付き切替え装置４内に、分散設置箇所３の変換装置１４に接続されるＩＣカード１５の情報に基づいて、所定のクライアント計算機を選択するクライアント選択手段４９が設けられている。
【００８１】
なお、ＩＣカード１５には、分散設置箇所３における特定のユーザを識別する情報と、いずれかの制御所と通信を行う情報と、通信する制御所内の使用すべきクライアント計算機の情報が記憶されている。
【００８２】
［８．２．作用効果］
次に、上記構成を備える第８の実施形態の電力系統監視システムの作用の一例を図２８のフローチャートを参照して以下に説明する。また、図２８のフローチャートでは、ＩＣカード１５には、制御所１ａのクライアント計算機１２ａと通信を行う情報が記憶され、制御所１ａのクライアント計算機１２ａに対応するクライアント計算機用ＨＭＩ１３ａのオペレーションを、分散設置箇所３のＨＭＩ１３ｄで行なうケースについて説明する。
【００８３】
まず、図２８の通り、分散設置箇所３において、ユーザによりＩＣカード１５が変換装置１４に接続されると、変換装置１４内のＩＣカード読取手段３１は、接続されたＩＣカード１５の情報を読み込む（ＳＴＥＰ２８０１）。そして、制御ＩＰアドレス読出手段３３は、第７の実施形態で示した図２５のような制御所ＩＰアドレス記憶ファイルから、接続されたＩＣカード１５に記憶されている制御所１ａの情報に従い、当該制御所１ａに対応するセキュリティ機能付き切替え装置４のＩＰアドレスを読み出す（ＳＴＥＰ２８０２）。
【００８４】
制御所１ａに対応するセキュリティ機能付き切替え装置４のＩＰアドレスが読み出されると、制御所接続手段３２は、このＩＰアドレスをもとに、ＷＡＮ２を介して制御所１ａへの接続要求を行い、ＩＣカード読取手段３１により読み取ったＩＣカード１５の情報と変換装置１４のＩＰアドレスを、制御所１ａ内のセキュリティ機能付き切替え装置４の接続情報受信手段４１に送信する（ＳＴＥＰ２８０３）。また、これと同時に、ＩＰアドレス記憶手段３４は、接続先である制御所１ａ内のキュリティ機能付き切替え装置４の変換装置１４のＩＰアドレスをＩＰアドレス記憶ファイルに記憶する（ＳＴＥＰ２８０４）。
【００８５】
制御所１ａにおいて、接続情報受信手段４１が分散設置箇所３の制御所接続手段３２からの接続要求を受け付けると、ＩＣカード認証手段４３は、分散設置箇所３から受信したＩＣカード１５の情報と認証読出手段４２を通じて読み出した認証情報とを照合して、分散設置箇所３からの接続が可能であるかを判断する（ＳＴＥＰ２８０５）。ＩＣカード認証手段４３により、分散設置箇所３からの接続が可能であると判断されると（ＳＴＥＰ２８０５のＹＥＳ）、制御所１ａ側のＩＰアドレス記憶手段４４は、分散設置箇所３の変換装置１４のＩＰアドレスをＩＰアドレス記憶ファイルに記憶する（ＳＴＥＰ２８０６）。
【００８６】
ＩＰアドレス記憶手段４４により、分散設置箇所３の変換装置１４のＩＰアドレスがＩＰアドレス記憶ファイルに記憶されると、クライアント選択手段４９は、受信したＩＣカード１５に記憶されたクライアント計算機１２ａを使用するという情報をもとに、クライアント計算機１２ａ、１２ｂのうちからクライアント計算機１２ａを選択する（ＳＴＥＰ２８０７）。制御権状態記憶手段４５は、クライアント選択手段４９により選択されたクライアント計算機１２ａの情報をもとに、第２の実施形態で示した図１０のような制御権状態ファイルのクライアント計算機１２ａに相当するデータエリアに対して、分散設置箇所３にクライアント計算機１２ａの操作権を与えるというデータ“１”を設定し記憶する（ＳＴＥＰ２８０８）。
【００８７】
そして、ＵＳＢ信号切替え手段４６は、制御権状態記憶ファイルのクライアント計算機１２ａに相当するデータエリアに記憶された上記データに従い、クライアント計算機１２ａからのＵＳＢ信号の送信先を、クライアント計算機用ＨＭＩ１３ａからＵＳＢ／ＬＡＮ変換手段４７に切り替える（ＳＴＥＰ２８０９）。なお、以降のＳＴＥＰ２８１０〜２８１４の処理は、第１の実施形態に係る図７のフローチャートのＳＴＥＰ７０９〜７１３の処理と共通するので説明は省略する。
【００８８】
以上のような第８の実施形態によれば、複数の制御所が配設され、そのうちのある制御所内に複数のクライアント計算機が設けられた場合であっても、ＩＣカードに記憶された任意の制御所に対する任意のクライアント計算機の情報をもとに、通信対象となる制御所と、使用するクライアント計算機を選択することができるので、所望の制御所のクライアント計算機の操作権をクライアント計算機用ＨＭＩから分散設置箇所の変換装置に切り替えることが可能となる。そのため、ソフトウェアを変更せずに、所望の制御所のクライアント計算機のオペレーションを分散設置箇所に配設されたＨＭＩにより実行することができる。
【００８９】
［９．第９の実施形態］
［９．１．構成］
次に、第９の実施形態に係る電力系統監視システムの構成を、図２９、３０を参照して以下に説明する。なお、第９の実施形態の電力系統監視システムでは、第７の実施形態のような複数の制御所を備える電力系統間システムにおいて、一つの分散設置箇所３に、複数の変換装置及びＨＭＩが設けられている点に特徴を有する。
【００９０】
具体的には、例えば、図２９の通り、第７の実施形態に係る図２３の基本構成において、一つの分散設置箇所３内に、変換装置１４ａ、１４ｂとＨＭＩ１３ｄ（変換装置１４ａに接続用）、１３ｅ（変換装置１４ｂに接続用）と、この変換装置１４ａ、１４ｂとＷＡＮ２を物理的に接合するＨＵＢ２１と、を備えた構成を有している。なお、分散設置箇所３の変換装置１４ａ、１４ｂには、それぞれＩＣカード１５ａ、１５ｂが接続される。
【００９１】
また、変換装置１４ａ、１４ｂ内に各々備える制御所ＩＰアドレス記憶ファイルには、図３１のように、変換装置１４ａ、１４ｂ毎に、接続されるＩＣカードに対応した所定の制御所のセキュリティ機能付きのＩＰアドレスが記憶されている。例えば、図３０によれば、変換装置１４ａ内の制御所ＩＰアドレス記憶ファイルには、当該変換装置１４ａに接続されるＩＣカード１５ａに対応させて、通信先の制御所１ａのセキュリティ機能付き切替え装置４のＩＰアドレスが記憶されている。
【００９２】
［９．２．作用効果］
次に、上記構成を備える第９の実施形態の電力系統監視システムの作用の一例を図３２のフローチャートを参照して以下に説明する。なお、図２９の電力系統監視システムの制御１ａ、１ｂ、変換装置１４ａ、１４ｂのうち、図３２のフローチャートでは、一例として、ＩＣカード１５ａが変換装置１４ａに接続されることにより、制御所１ａと分散設置箇所３との間で通信が確立される処理について説明する。そのため、ＩＣカード１５ａには、分散設置箇所３における特定のユーザを識別する情報と、制御所１ａと通信を行なう情報が記憶されているものとする。
【００９３】
まず、分散設置箇所３において、ユーザによりＩＣカード１５ａが変換装置１４ａに接続されると、変換装置１４ａ内のＩＣカード読取手段３１は、接続されたＩＣカード１５ａの情報を読み込む（ＳＴＥＰ３２０１）。そして、制御ＩＰアドレス読出手段３３は、図３１のような制御所ＩＰアドレス記憶ファイルから、接続されたＩＣカード１５ａに記憶されている制御所１ａの情報に従い、当該制御所１ａに対応するセキュリティ機能付き切替え装置４のＩＰアドレスを読み出す（ＳＴＥＰ３２０２）。
【００９４】
制御所１ａに対応するセキュリティ機能付き切替え装置４のＩＰアドレスが読み出されると、制御所接続手段３２は、このＩＰアドレスをもとに、ＨＵＢ２１及びＷＡＮ２を介して制御所１ａへの接続要求を行い、ＩＣカード読取手段３１により読み取ったＩＣカード１５ａの情報と変換装置１４のＩＰアドレスを、制御所１ａ内のセキュリティ機能付き切替え装置４の接続情報受信手段４１に送信する（ＳＴＥＰ３２０３）。また、これと同時に、ＩＰアドレス記憶手段３４は、接続先である制御所１ａ内のキュリティ機能付き切替え装置４の変換装置１４のＩＰアドレスをＩＰアドレス記憶ファイルに記憶する（ＳＴＥＰ３２０４）。
【００９５】
これ以降の図３２におけるＳＴＥＰ３２０５〜３２１４は、第７の実施形態に係る図２６のＳＴＥＰ２６０５〜２６１４と共通するため、説明を省略する。
【００９６】
以上のような第９の実施形態によれば、一つの分散設置箇所に複数の変換装置、ＨＭＩを設けており、各変換装置に接続されるＩＣカードには、使用する制御所の情報が記憶され、各分散設置箇所において読み出される制御所ＩＰアドレス記憶ファイルには、制御所毎に対応したセキュリティ機能付き切替え装置４のＩＰアドレスが記憶されている。そのため、複数の制御所を有する電力系統監視システムであっても、一つの分散設置箇所から複数の制御所管轄の電力系統の監視することが可能となり、ユーザの人員削減やコスト削減にも貢献できる。
【００９７】
［１０．第１０の実施形態］
［１０．１．構成］
次に、第１０の実施形態に係る電力系統監視システムの構成を、図３３、３４を参照して以下に説明する。なお、第１０の実施形態に係る電力系統監視システムでは、複数ある制御所のサーバ計算機及びクライアント計算機を一つの制御所に統合し、統合された制御所内で、分散設置箇所からのＩＣカードに記憶された情報に基づいて、統合前のいずれの制御所に対応するクライアント計算機と通信可するのかを選択する点に特徴を有する。
【００９８】
具体的には、例えば、図３３の通り、第１０の実施形態に係る電力系統監視システムでは、制御所Ａで使用するサーバ計算機１１ａ、クライアント計算機１２ａ、クライアント計算機用ＨＭＩ１３ａと、制御所Ｂで使用するサーバ計算機１１ｂ、クライアント計算機１２ｂ、クライアント計算機用ＨＭＩ１３ｂと、を一つの制御所１内で統合した構成を有している。それ以外は、第１の実施形態に係る図３の電力系統監視システムの基本構成と同様である。
【００９９】
また、図３４によれば、第１の実施形態に係る図３の電力系統監視システムにおいて、複数のサーバ計算機、クライアント計算機、クライアント計算機用ＨＭＩが統合された制御所１のセキュリティ機能付き切替え装置４に、いずれかの制御所に対応したクライアント計算機を操作するのかを選択する制御所操作選択手段５６（本発明の「選択手段」に対応）と、操作するクライアント計算機の状況を記憶するクライアント計算機記憶手段５７を設けている。
【０１００】
なお、分散設置箇所３の変換装置１４に接続されるＩＣカード１５には、分散設置箇所３における特定のユーザを識別する情報と、所定の制御所用のクライアント計算機の情報が記憶されているものとする。
【０１０１】
［１０．２．作用効果］
次に、上記構成を備える第１０の実施形態の電力系統監視システムの作用の一例を図３５のフローチャートを参照して以下に説明する。なお、図３５のフローチャートでは、一例として、ＩＣカード１５に、制御所Ａ用のクライアント計算機１２ａを使用する情報が記憶されているものとし、当該制御所Ａ用のクライアント計算機１２ａに対応するクライアント計算機用ＨＭＩ１３ａのオペレーションを、分散設置箇所３のＨＭＩ１３ｄで行なうケースについて説明する。
【０１０２】
ここで、図３５の通り、ＳＴＥＰ３５０１〜３５０６は、第１の実施形態に係る図７のＳＴＥＰ７０１〜７０６と処理が共通するので説明は省略する。
ＳＴＥＰ３５０６において、ＩＰアドレス記憶手段４４により、分散設置箇所３の変換装置１４のＩＰアドレスがＩＰアドレス記憶ファイルに記憶されると、制御所操作選択手段５６は、受信したＩＣカード１５の情報をもとに使用する制御所Ａ用のクライアント計算機１２ａを選択する（ＳＴＥＰ３５０７）。
【０１０３】
そして、クライアント計算機記憶手段５７は、図３６のような操作クライアント計算機ファイルに対して、制御所Ａ用クライアント計算機１２ａに対応させて、当該制御所Ａ用クライアント計算機１２ａが操作可能であることを示すデータ“１”を設定し記憶する（ＳＴＥＰ３５０８）。なお、図３６の通り、操作クライアント計算機ファイルにおいて、操作可能でないクライアント計算機には、データ“０”が設定されている。
【０１０４】
制御権状態記憶手段４５は、制御所操作選択手段５６により選択されたクライアント計算機１２ａの情報をもとに、第１の実施形態で示した図１０のような制御権状態ファイルのクライアント計算機１２ａに相当するデータエリアに対して、分散設置箇所３にクライアント計算機１２ａの操作権を与えるというデータ“１”を設定し記憶する（ＳＴＥＰ３５０９）。
【０１０５】
そして、ＵＳＢ信号切替え手段４６は、制御権状態記憶ファイル上のクライアント計算機１２ａに対応したデータとクライアント計算機記憶手段５７により記憶された操作クライアント計算機ファイル上のデータに従い、クライアント計算機１２ａからのＵＳＢ信号の送信先を、クライアント計算機用ＨＭＩ１３ａからＵＳＢ／ＬＡＮ変換手段４７に切り替える（ＳＴＥＰ３５１０）。なお、以降のＳＴＥＰ３５１１〜３５１５の処理は、第１の実施形態に係る図７のフローチャートのＳＴＥＰ７０９〜７１３の処理と共通するので説明は省略する。
【０１０６】
以上のような第１０の実施形態によれば、複数の制御所にあるサーバ計算機、クライアント計算機、及びクライアント計算機用ＨＭＩを１つの制御所に統合することで、分散設置箇所からの複数の電力系統管轄の監視制御等を行なうことができ、かつ制御所における保守を最小人員で行なうことが可能となる。
【図面の簡単な説明】
【０１０７】
【図１】本発明の第１の実施形態に係る電力系統監視システムの構成図
【図２】本発明の第１の実施形態に係るクライアント計算機とクライアント計算機用ＨＭＩの構成図
【図３】本発明の第１の実施形態に係る電力系統監視システムのブロック構成図
【図４】本発明の第１の実施形態に係る制御所ＩＰアドレス記憶ファイルの構成図
【図５】本発明の第１の実施形態に係る認証設定ファイルの構成図
【図６】本発明の第１の実施形態に係る制御権状態ファイルの構成図
【図７】本発明の第１の実施形態に係る電力系統監視システムの通信確立処理例を示すフローチャート
【図８】本発明の第２の実施形態に係る電力系統監視システムのブロック構成図
【図９】本発明の第２の実施形態に係る電力系統監視システムの通信確立処理例を示すフローチャート
【図１０】本発明の第２の実施形態に係る制御権状態ファイルの構成図
【図１１】本発明の第３の実施形態に係る電力系統監視システムのブロック構成図
【図１２】本発明の第３の実施形態に係る電力系統監視システムの通信確立処理例を示すフローチャート
【図１３】本発明の第３の実施形態に係る電力系統監視システムの接続状況検索処理を示すフローチャート
【図１４】本発明の第４の実施形態に係る電力系統監視システムのブロック構成図
【図１５】本発明の第４の実施形態に係る電力系統監視システムの通信確立処理例を示すフローチャート
【図１６】本発明の第５の実施形態に係る電力系統監視システムの構成図
【図１７】本発明の第５の実施形態に係る電力系統監視システムのブロック構成図
【図１８】本発明の第５の実施形態に係る優先接続ファイルの構成図
【図１９】本発明の第５の実施形態に係る電力系統監視システムの通信確立処理例を示すフローチャート
【図２０】本発明の第６の実施形態に係る電力系統監視システムのブロック構成図
【図２１】本発明の第６の実施形態に係る接続時間記憶ファイルの構成図
【図２２】本発明の第６の実施形態に係る電力系統監視システムの通信確立処理例を示すフローチャート
【図２３】本発明の第７の実施形態に係る電力系統監視システムの構成図
【図２４】本発明の第７の実施形態に係る電力系統監視システムのブッロク構成図
【図２５】本発明の第７の実施形態に係る制御所ＩＰアドレスファイルの構成図
【図２６】本発明の第７の実施形態に係る電力系統監視システムの通信確立処理例を示すフローチャート
【図２７】本発明の第８の実施形態に係る電力系統監視システムのブッロク構成図
【図２８】本発明の第８の実施形態に係る電力系統監視システムの通信確立処理例を示すフローチャート
【図２９】本発明の第９の実施形態に係る電力系統監視システムの構成図
【図３０】本発明の第９の実施形態に係る電力系統監視システムのブロック構成図
【図３１】本発明の第９の実施形態に係る制御所ＩＰアドレス記憶ファイルの構成図
【図３２】本発明の第９の実施形態に係る電力系統監視システムの通信確立処理例を示すフローチャート
【図３３】本発明の第１０の実施形態に係る電力系統監視システムの構成図
【図３４】本発明の第１０の実施形態に係る電力系統監視システムのブロック構成図
【図３５】本発明の第１０の実施形態に係る電力系統監視システムの通信確立処理例を示すフローチャート
【図３６】本発明の第１０の実施形態に係る操作クライアント計算機ファイルの構成図
【図３７】従来技術の電力系統監視システムを示す構成図
【図３８】従来技術のクライアント計算機とクライアント計算機用ＨＭＩを示す構成図
【符号の説明】
【０１０８】
１、１ａ、１ｂ、Ａ、Ｂ…制御所
２…ＷＡＮ
３、３ａ、３ｂ…分散設置箇所
４、４ａ、４ｂ…セキュリティ機能付き切替え装置
１１、１１ａ、１１ｂ…サーバ計算機
１２、１２ａ〜１２ｃ…クライアント計算機
１３、１３ａ〜ｅ…ＨＭＩ
１４、１４ａ、１４ｂ…変換装置
１５、１５ａ、１５ｂ…ＩＣカード
１６…ＵＳＢ／ＬＡＮ変換器
１７…ＵＳＢ−ＨＵＢ
１８…ＵＳＢ／ＲＧＢ変換器
１９…ＣＲＴ
２０…キーボード／マウス
２１…ＨＵＢ
３１…カード読取手段
３２…制御所接続手段
３３…制御所ＩＰアドレス読出手段
３４…ＩＰアドレス記憶手段
３５…ＵＳＢ／ＬＡＮ変換手段（分散設置箇所側）
３６…ＬＡＮ送受信手段（分散設置箇所側）
４１…接続情報受信手段
４２…認証読出手段
４３…ＩＣカード認証手段
４４…ＩＰアドレス記憶手段
４５…制御権状態記憶手段
４６…ＵＳＢ信号切替え手段
４７…ＵＳＢ／ＬＡＮ変換手段（セキュリティ機能付き切替え装置側）
４８…ＬＡＮ送受信手段（セキュリティ機能付き切替え装置側）
４９…クライアント選択手段
５０ａ、５０ｂ…接続状況要求手段
５１…接続状況検索表示手段
５２…アラーム出力手段
５３…優先接続判定手段
５４…接続時間監視手段
５５…接続時間読出手段
５６…制御所操作選択手段
５７…クライアント計算機記憶手段
【図１】
0005060360.tif 000002
【図２】
0005060360.tif 000003
【図３】
0005060360.tif 000004
【図４】
0005060360.tif 000005
【図５】
0005060360.tif 000006
【図６】
0005060360.tif 000007
【図７】
0005060360.tif 000008
【図８】
0005060360.tif 000009
【図９】
0005060360.tif 000010
【図１０】
0005060360.tif 000011
【図１１】
0005060360.tif 000012
【図１２】
0005060360.tif 000013
【図１３】
0005060360.tif 000014
【図１４】
0005060360.tif 000015
【図１５】
0005060360.tif 000016
【図１６】
0005060360.tif 000017
【図１７】
0005060360.tif 000018
【図１８】
0005060360.tif 000019
【図１９】
0005060360.tif 000020
【図２０】
0005060360.tif 000021
【図２１】
0005060360.tif 000022
【図２２】
0005060360.tif 000023
【図２３】
0005060360.tif 000024
【図２４】
0005060360.tif 000025
【図２５】
0005060360.tif 000026
【図２６】
0005060360.tif 000027
【図２７】
0005060360.tif 000028
【図２８】
0005060360.tif 000029
【図２９】
0005060360.tif 000030
【図３０】
0005060360.tif 000031
【図３１】
0005060360.tif 000032
【図３２】
0005060360.tif 000033
【図３３】
0005060360.tif 000034
【図３４】
0005060360.tif 000035
【図３５】
0005060360.tif 000036
【図３６】
0005060360.tif 000037
【図３７】
0005060360.tif 000038
【図３８】
0005060360.tif 000039